(57)【要約】【課題】左右チャンネル間の音の打ち消しを抑制する。【解決手段】音響装置１０は、一対のスピーカーユニット３４Ａ、３４Ｂと、右チャンネルと左チャンネルの音声信号ＳＬ、ＳＲを入力し、左右チャンネルの音声信号ＳＬ、ＳＲの合成処理と差分処理とを独立して行う信号処理部３２と、を有している。合成処理で得た左右チャンネルの合成信号ＳＡは、対の一方のスピーカーユニット３４Ａに入力し、差分処理で得た左右チャンネルの差分信号ＳＢは、対の他方のスピーカーユニット３４Ｂに入力する。【選択図】図１
2018064168.tif 000002
【特許請求の範囲】
【請求項１】
一対又は複数対のスピーカーユニットと、
右チャンネルと左チャンネルの音声信号を入力し、左右チャンネルの音声信号の合成処理と差分処理とを独立して行う信号処理部と、を有し、
前記合成処理で得た前記左右チャンネルの合成信号は、対の一方の前記スピーカーユニットに入力し、前記差分処理で得た前記左右チャンネルの差分信号は、対の他方の前記スピーカーユニットに入力することを特徴とする音響装置。
【請求項２】
前記対のスピーカーユニットの背面同士を対向させていることを特徴とする請求項１に記載の音響装置。
【請求項３】
前記対のスピーカーユニットは、共通のエンクロージャーに配置され、前記エンクロージャーは密閉型であることを特徴とする請求項２に記載の音響装置。
【請求項４】
前記対のスピーカーユニット同士を同軸上に配置していることを特徴とする請求項２又は３に記載の音響装置。
【請求項５】
前記対のスピーカーユニットに入力する信号の帯域を制限するローパスフィルターを有していることを特徴とする請求項１から４のいずれかに記載の音響装置。
【請求項６】
一対又は複数対のスピーカーユニットに音声信号を出力する音響処理方法において、
右チャンネルと左チャンネルの音声信号の合成処理と差分処理とを独立して行い、
前記合成処理で得た前記左右チャンネルの合成信号を、対の一方の前記スピーカーユニットに入力させ、前記差分処理で得た前記左右チャンネルの差分信号を、対の他方の前記スピーカーユニットに入力させることを特徴とする音響処理方法。
【発明の詳細な説明】
【技術分野】
【０００１】
本発明は、音響装置、及び音響処理方法に関する。
【背景技術】
【０００２】
サブウーファーから出力された低域信号と他のスピーカーから出力された低域信号が互いに打ち消しあうことを防止することを目的とした音響再生装置が知られている（例えば、特許文献１参照）。
この特許文献１には、各チャンネルのオーディオ信号を再生する各スピーカーにテストノイズ信号を供給してから聴取位置に配置したマイクロフォンで前記テストノイズ信号を受信するまでの時間をもとに、各スピーカーと聴取位置との間の距離の差に基づき、各スピーカーの再生音が同時に聴取位置に到達するように前記各チャンネルの再生経路に挿入した遅延器の遅延時間を調整する制御部と、全チャンネルから再生される前記テストサイン波を受信した前記マイクロフォンの出力をもとに再生信号のレベルを測定する振幅測定部とを備え、前記振幅測定部で測定する再生信号のレベルが最大となるように、前記サブウーファチャンネル再生経路に挿入した遅延器の遅延時間を調整することが開示されている。
【０００３】
また、スピーカーシステム装置には、Ｌチャンネル信号からＲチャンネル信号を減算した信号を再生するスピーカーユニットと、Ｒチャンネル信号からＬチャンネル信号を減算した信号を再生するスピーカーユニットと、Ｌチャンネル信号とＲチャンネル信号を加算した信号を再生する再生するセンタースピーカーユニットとを備えることによって、スピーカーの間隔が狭くても充分広い音場空間を再現できるようにしたものが開示されている（例えば、特許文献２）。
【先行技術文献】
【特許文献】
【０００４】
【特許文献１】特開２００６−２７９２４７号公報
【特許文献２】特開２００３−３７８９８号公報
【発明の概要】
【発明が解決しようとする課題】
【０００５】
しかし、特許文献１の技術は、サブウーファーと他のスピーカーとの間の低域成分が互いに打ち消しあうことを防止するものであり、サブウーファー等の特定のスピーカーから左右チャンネルの音を出力しようとしたときに、左右チャンネルの音の打ち消しを抑制するものではない。
また、特許文献２の技術は、左右のスピーカーから左右チャンネルの差分の音声を出力する構成であり、左右のスピーカー間での音の打ち消しを抑制するものではない。また、特許文献２の上記技術は、マルチチャンネルのフロントに対応するスピーカーユニットに適用する技術であり、サブウーファーに適用する技術ではない。
【０００６】
そこで、本発明は、左右チャンネル間の音の打ち消しを抑制することを目的とする。
【課題を解決するための手段】
【０００７】
上記目的を達成するために、本発明の音響装置は、一対又は複数対のスピーカーユニットと、右チャンネルと左チャンネルの音声信号を入力し、左右チャンネルの音声信号の合成処理と差分処理とを独立して行う信号処理部と、を有し、前記合成処理で得た前記左右チャンネルの合成信号は、対の一方の前記スピーカーユニットに入力し、前記差分処理で得た前記左右チャンネルの差分信号は、対の他方の前記スピーカーユニットに入力することを特徴とする。
【０００８】
上記構成において、前記対のスピーカーユニットの背面同士を対向させてもよい。また、上記構成において、前記対のスピーカーユニットは、共通のエンクロージャーに配置され、前記エンクロージャーは密閉型であってもよい。
【０００９】
また、上記構成において、前記対のスピーカーユニット同士を同軸上に配置してもよい。
また、上記構成において、前記対のスピーカーユニットに入力する信号の帯域を制限するローパスフィルターを有してもよい。
【００１０】
また、本発明は、一対又は複数対のスピーカーユニットに音声信号を出力する音響処理方法において、右チャンネルと左チャンネルの音声信号の合成処理と差分処理とを独立して行い、前記合成処理で得た前記左右チャンネルの合成信号を、対の一方の前記スピーカーユニットに入力させ、前記差分処理で得た前記左右チャンネルの差分信号を、対の他方の前記スピーカーユニットに入力させることを特徴とする。
【発明の効果】
【００１１】
本発明では、合成処理で得た左右チャンネルの合成信号は、対の一方のスピーカーユニットに入力し、差分処理で得た左右チャンネルの差分信号は、対の他方のスピーカーユニットに入力するので、左右チャンネル間の音の打ち消しを抑制することができる。
【図面の簡単な説明】
【００１２】
【図１】本発明の実施形態に係る音響装置の構成を示すブロック図である。
【図２】音響装置の音源部がモノラル音声を出力する場合を示した図である。
【図３】音響装置の音源部がステレオ音声を出力する場合を示した図である。
【図４】図４（Ａ）は音源部がＭＯＮＯ音源の場合の他の音響装置１００Ａを示し、図４（Ｂ）は音源部がＳＴＥＲＥＯ音源の場合の他の音響装置１００Ｂを示した図である。
【図５】音響装置１００Ａの音響特性と音響装置１００Ｂの音響特性とを示す特性曲線図である。
【図６】図６（Ａ）は音源部がＭＯＮＯ音源の場合の他の音響装置１００Ｃを示し、図６（Ｂ）は音源部がＳＴＥＲＥＯ音源の場合の他の音響装置１００Ｄを示した図である。
【図７】音響装置１００Ｃの音響特性と音響装置１００Ｄの音響特性とを示した特性曲線図である。
【図８】図８（Ａ）は音源部がＭＯＮＯ音源の場合の他の音響装置１００Ｅを示し、図８（Ｂ）は音源部がＳＴＥＲＥＯ音源の場合の他の音響装置１００Ｆを示した図である。
【図９】音響装置１００Ｅの音響特性と音響装置１００Ｆの音響特性とを示した特性曲線図である。
【図１０】音源部がＳＴＥＲＥＯ音源の場合の本実施形態の音響装置を示す図である。
【図１１】本実施形態の音響装置の音響特性を音響装置１００Ｅの音響特性と共に示した特性曲線図である。
【発明を実施するための形態】
【００１３】
以下、図面を参照して本発明の実施の形態について説明する。
図１は、本発明の実施形態に係る音響装置の構成を示すブロック図である。
この音響装置１０は、自動車などの車両に搭載される車載用音響装置であり、音源部２１と、サブウーファー（スーパーウーファーとも称する）３１とを備える。
音源部２１は、ステレオ音声を出力するＳＴＥＲＥＯ音源、又はモノラル音声を出力するＭＯＮＯ音源として機能する。ステレオ音声は、左から到達する音を示す左チャンネルの音声信号と、右から到達する音を示す右チャンネルの音声信号とであり、２チャンネルの音声信号とも言う。各音声信号は、例えば、２つのマイクを使用するステレオ録音によって各マイクから得られる音声信号である。また、モノラル音声は、単一の音声信号であり、例えば単一のマイクを使用するモノラル録音によって得られる音声信号である。
【００１４】
本実施形態では、音源部２１は、ＣＤ又はラジオ等の音源ソースから得た音声信号を出力する。これによって、音源部２１は、音源ソースに応じたステレオ音声又はモノラル音声を出力する。また、音源部２１は、ステレオ音声をモノラル音声に変換して出力する機能を有してもよい。
なお、音源ソースは、ステレオ音声又はモノラル音声の音源ソースに限定する必要はなく、２チャンネルよりも多いマルチチャンネルの音声信号を含む音源ソースであってもよい。この場合、音源部２１は、マルチチャンネルの音声信号をステレオ音声又はモノラル音声に変換して出力する機能を有してもよい。
【００１５】
音源部２１は、サブウーファー３１に音声信号を出力する音声出力端子として、２つの音声出力端子２１Ｌ、２１Ｒを有している。２つの音声出力端子２１Ｌ、２１Ｒは、ステレオ音声を構成する２チャンネルの音声信号ＳＬ、ＳＲをそれぞれ独立して出力する端子である。音声出力端子２１Ｒは、右チャンネルの音声信号ＳＬを出力する端子である。また、音声出力端子２１Ｌは、左チャンネルの音声信号ＳＬを出力する端子である。
【００１６】
但し、音源部２１がモノラル音声を出力する場合、音声出力端子２１Ｌ、２１Ｒは、音声信号ＳＬ、ＳＲとして同一の音声信号（モノラル音声信号ＳＭ）を出力する。以下の説明では、音声信号ＳＬ、ＳＲがモノラル音声であることを特に区別して表記する必要がある場合にモノラル音声信号ＳＭと表記する。
【００１７】
この音源部２１は、例えば、音声再生機能を有する車載装置の一部又は全体を構成する。この音響装置１０は、音源ソースに応じて所定の音声処理を実行することにより、音源ソースに応じた音声信号を再生し、サブウーファー３１及び車両に設置されたスピーカーのそれぞれから音声信号に対応する音声を放音させる装置である。なお、音源部２１及びサブウーファー３１は、車両に予め据え付けられた据付型でもよいし、車両から容易に持ち運び自在な構成でもよい。
【００１８】
サブウーファー３１は、人の可聴域のうちの低域の音（低音）を独立して再生する低音用スピーカーである。このサブウーファー３１は、信号処理部３２と、ローパスフィルター（以下、ＬＰＦ）３３と、ウーファーボックス（スピーカーボックスとも称する）３４とを備えている。
【００１９】
信号処理部３２は、音声信号ＳＬ、ＳＲを入力し、これら音声信号ＳＬ、ＳＲの合成処理と差分処理とを独立して行う。詳述すると、信号処理部３２は、音声信号ＳＬ、ＳＲの合成処理を行う合成処理部３２Ａと、これら音声信号ＳＬ、ＳＲの差分処理を行う差分処理部３２Ｂとを備えている。合成処理部３２Ａは、音声信号ＳＬ、ＳＲを加算し、加算結果を合成信号ＳＡとして出力する。差分処理部３２Ｂは、音声信号ＳＬ、ＳＲの一方から他方を減算し、減算結果を差分信号ＳＢとして出力する。本構成では、音声信号ＳＬから音声信号ＳＲを減算した信号を差分信号ＳＢとして出力している。
【００２０】
信号処理部３２は、上記の合成処理と差分処理とを並列的に実行することで、合成信号ＳＡと差分信号ＳＢとを同時に出力する。なお、合成処理部３２Ａ及び差分処理部３２Ｂはアナログ回路で構成してもよいし、また、デジタル処理回路（例えばＤＳＰ）で構成してもよい。信号処理部３２には公知の合成処理及び差分処理を適用可能である。
【００２１】
ＬＰＦ３３は、信号処理部３２とウーファーボックス３４との間に配置され、ウーファーボックス３４に入力する信号の帯域を、サブウーファー３１の再生周波数帯域である低域に制限する帯域制限フィルターとして機能する。ＬＰＦ３３は例えば２００Ｈｚ以下の低域に制限する。
このようにして、合成信号ＳＡ及び差分信号ＳＢの各々の低域成分が、ウーファーボックス３４に入力する。ＬＰＦ３３についても、アナログ回路、又はデジタル処理回路（例えばＤＳＰ）等の公知の構成を適用可能である。
【００２２】
ウーファーボックス３４は、一対のスピーカーユニット３４Ａ、３４Ｂと、これらスピーカーユニット３４Ａ、３４Ｂのエンクロージャーとして機能する単一の筐体３５とを備えている。一対のスピーカーユニット３４Ａ、３４Ｂは、サブウーファーの再生周波数帯域に対応する帯域を再生するスピーカーユニットであり、スピーカー特性を揃えるべく同一のユニットで構成されている。
なお、スピーカーユニット３４Ａ、３４Ｂは不図示のアンプを備え、このアンプにより、各ユニット３４Ａ、３４Ｂに入力された音声信号に対応する音声をそれぞれ放音する。
【００２３】
筐体３５は、一対のスピーカーユニット３４Ａ、３４Ｂの背面同士を対向させ、且つ、これらスピーカーユニット３４Ａ、３４Ｂを同軸上に支持する。より具体的には、この筐体３５は、対向する一対の壁３５Ａ、３５Ｂを有する中空の箱形状に形成される。そして、対向する一対の壁３５Ａ、３５Ｂの各々にスピーカーユニット３４Ａ、３４Ｂが前面を筐体３５外側に向けて取り付けられ、且つ、各スピーカーユニット３４Ａ、３４Ｂの中心軸線が同一の軸線Ｌ１（図１参照）上に揃えられる。
【００２４】
本構成では、一対のスピーカーユニット３４Ａ、３４Ｂを、１つの筐体３５に背面を対向させて配置し、つまり、各ユニット３４Ａ、３４Ｂを互いに逆向きに配置している。これにより、スピーカーユニット３４Ａ、３４Ｂの一方の前面から発せられた音（空気の振動）が他方のスピーカーユニット３４Ｂ、３４Ａの前面に回り込み難い。従って、スピーカーユニット３４Ａ、３４Ｂ間での空間的な音の打ち消しを抑えることができ、各スピーカーユニット３４Ａ、３４Ｂの音圧を確保し易くなる等のメリットが得られる。
【００２５】
さらに、一対のスピーカーユニット３４Ａ、３４Ｂを共通の筐体３５に配置するので、各スピーカーユニット３４Ａ、３４Ｂを別々の筐体に配置する場合と比べてウーファーボックス３４をコンパクト化し易くなる。
なお、筐体３５内における各スピーカーユニット３４Ａ、３４Ｂの背面間には、例えば吸音材が充填される。吸音材によって、各スピーカーユニット３４Ａ、３４Ｂの背面からの音を適宜に吸収したり、減衰したりすることができる。
【００２６】
また、筐体３５は、筐体３５外の空間に連通する開口がない密閉型に形成されている。密閉型にすることで、各スピーカーユニット３４Ａ、３４Ｂの背面から発せられた逆位相の音が各スピーカーユニット３４Ａ、３４Ｂの前面に回り込むことを回避できる。これによっても、スピーカーユニット３４Ａ、３４Ｂ間での空間的な音の打ち消しを抑え、各スピーカーユニット３４Ａ、３４Ｂの音圧を確保し易くなる。
さらに、筐体３５の容量を可変することで筐体３５の共振周波数を調整可能である。例えば、各スピーカーユニット３４Ａ、３４Ｂの特性と、放音する空間の特性（例えば車両の室内容積、室内の共振周波数）とに応じて、筐体３５の共振周波数を調整することで、所望の音声出力特性を得やすくなる。
【００２７】
なお、信号処理部３２及びＬＰＦ３３は、サブウーファー３１以外の装置が備えるようにしてもよい。例えば、信号処理部３２及びＬＰＦ３３を、音源部２１が備えるように構成してもよいし、又は音源部２１を有する車載装置が備えるように構成してもよい。
【００２８】
図２は音源部２１がモノラル音声（モノラル音声信号ＳＭ）を出力する場合を示した図である。音源部２１がモノラル音声を出力する場合、音声出力端子２１Ｌ、２１Ｒからは同一のモノラル音声信号ＳＭが出力されるので、差分信号ＳＢは零（零レベルの信号）となる。これによって、差分信号ＳＢに含まれる低音を再生するスピーカーユニット３４Ｂからは音声が出力されない。
【００２９】
スピーカーユニット３４Ａには、モノラル音声信号ＳＭ同士の和を示す合成信号ＳＡがＬＰＦ３３を介して入力される。これによって、スピーカーユニット３４Ａは、合成信号ＳＡに含まれる低音を放音する。この合成信号ＳＡは同一のモノラル音声信号ＳＭの和なので、合成処理の際に、以下に説明する「電気的な音の打ち消し」は生じない。従って、音源部２１が出力するモノラル音声の全ての低域成分に対応する音をスピーカーユニット３４Ａから放音させることができる。
【００３０】
図３は音源部２１がステレオ音声（音声信号ＳＬ、ＳＲ）を出力する場合を示した図である。
音源部２１がステレオ音声を出力する場合、一方のスピーカーユニット３４Ａは、音声信号ＳＬ、ＳＲの和を示す合成信号ＳＡに含まれる低音を放音する。また、他方のスピーカーユニット３４Ｂは、ステレオ音声を構成する音声信号ＳＬ、ＳＲの差分を示す差分信号ＳＢに含まれる低音を放音する。
異なる音声信号ＳＬ、ＳＲの和を求める合成処理の際に、音声信号ＳＬ、ＳＲの一部の成分が打ち消し合ってエネルギー的に減ってしまい、十分な低域再生ができない状態が生じるおそれがある。
この状態を「電気的な音の打ち消し」と言う。この「電気的な音の打ち消し」は、音声信号ＳＬ、ＳＲが互いに異なることに起因して生じ、例えば、音声信号ＳＬ、ＳＲ間で異なる周波数の音、又は、同じ周波数であっても大きさが異なる音等の箇所で生じる。
【００３１】
本実施形態の音響装置１０では、この「電気的な音の打ち消し」によって打ち消される音を、音声信号ＳＬ、ＳＲの差分を示す差分信号ＳＢで補う。仮に、この差分信号ＳＢを単純に合成信号ＳＡに加えた場合には、音の打ち消し（音声信号ＳＬ、ＳＲの一方の信号の消失）が生じてしまう。これに対し、本構成では、合成信号ＳＡと差分信号ＳＢとをそれぞれ異なるスピーカーユニット３４Ａ、３４Ｂに入力させ、各スピーカーユニット３４Ａ、３４Ｂから独立して放音させるので、信号ＳＢ、ＳＡの一部が消失することはない。
【００３２】
さらに、本実施形態の音響装置１０では、上記したように、スピーカーユニット３４Ａ、３４Ｂを背面同士を対向させて配置しているので、スピーカーユニット３４Ａ、３４Ｂ間での空間的な音の打ち消しを抑制可能である。しかも、信号ＳＡ、ＳＢ間で逆相の関係となる信号成分により、スピーカーユニット３４Ａ、３４Ｂが逆相の関係で駆動した際に、各ユニット３４Ａ、３４Ｂの振動板が同方向に振動することとなり、低音の増強効果を得やすくなる。
【００３３】
次に、本実施形態の音響装置１０と異なる他の音響装置１００Ａ〜１００Ｆについて説明する。なお、上記の音響装置１０に対応する部分は同一の符号を付して示し、重複説明は省略する。
まず、１つのスピーカーユニット３４Ｓを使用する他の音響装置１００Ａ、１００Ｂについて説明する。
図４（Ａ）は音源部２１がＭＯＮＯ音源の場合の他の音響装置１００Ａを示し、図４（Ｂ）は音源部２１がＳＴＥＲＥＯ音源の場合の他の音響装置１００Ｂを示している。スピーカーユニット３４Ｓは１つのウーファーボックス１３５に取り付けられる。また、スピーカーユニット３４Ｓの正面には、音響特性を測定するための集音マイク１３７が配置されている。
なお、図４（Ａ）、図４（Ｂ）及び後述する各図では音響装置１００Ａ、１００Ｂ、１０の構成を簡易的に示し、例えばＬＰＦ３３は省略して示している。
【００３４】
図４（Ａ）に示すように、スピーカーユニット３４Ｓが１つの場合、２つのスピーカーユニット３４Ａ、３４Ｂを使用する場合と比べて、スピーカーユニット３４Ａ、３４Ｂ間での音の回り込みによる打ち消しを対策する必要がない。これによって、シンプルな構成にでき、且つ、モノラル音声については適切な再生が可能である。
しかしながら、多くの音楽用音源はＳＴＥＲＥＯ音源である。また、ウッドベースやエレキベース等の既存楽器よりも、サンプリングやシンセベース等の電子音によるベース（電子楽器）が使用されるケースが増え、様々なエフェクターによりステレオ化されている実情がある。従って、低音であってもＳＴＥＲＥＯ音源を再生することが望まれる。
【００３５】
図４（Ａ）に示す音響装置１００Ａにおいて、ＳＴＥＲＥＯ音源を再生しようとした場合、ステレオ音声（音声信号ＳＬ、ＳＲ）の一方の音声だけをスピーカーユニット３４Ｓから出力させる方法がある。しかし、他方の音声に、低音を出力する楽器の音声が含まれると、その低音が出力されない。
図４（Ｂ）に示す音響装置１００Ｂでは、音声信号ＳＬ、ＳＲを合成した合成信号ＳＡを生成する合成処理部３２Ａを備え、合成信号ＳＡに対応する音声を１つのスピーカーユニット３４Ｓから再生させる。この構成にすることで、音声信号ＳＬ、ＳＲのいずれか一方だけに含まれる音声についても出力することが可能になる。
【００３６】
図５は音響装置１００Ａの音響特性ｆ１と音響装置１００Ｂの音響特性ｆ２とを示した特性曲線図である。なお、図５中、横軸は周波数（Ｈｚ）を示し、縦軸は音の大きさ（ｄＢ）を示す。
この音響特性ｆ１、ｆ２は、同じ音響空間にて、音響装置１００Ａ、１００Ｂの再生音を集音マイク１３７で集音することによって得られた特性である。より具体的には、音響特性ｆ１は、音響装置１００Ａに所定のピンクノイズのモノラル音声（音声信号ＳＭ）を再生させた場合の特性である。また、音響特性ｆ２は、音響装置１００Ｂに所定のピンクノイズのステレオ音声（音声信号ＳＬ、ＳＲ）を再生させた場合の特性である。
【００３７】
音響装置１００Ｂは、音声信号ＳＬ、ＳＲを合成する合成処理を行うので、この合成処理の際に、音声信号ＳＬ、ＳＲ間で電気的な音の打ち消しが生じる。この電気的な音の打ち消しにより、低域全ての周波数を一律に増幅することができなくなる。このため、図５に符号αで示すように、音響装置１００Ｂの音響特性ｆ２には音のディップが発生する。
なお、電気的な音の打ち消しは音響装置１００Ａには生じないので、図５に示す音響特性ｆ１、ｆ２の違いが生じている箇所が、電気的な音の打ち消しが生じた箇所に相当する。
【００３８】
次に２つのスピーカーユニット３４Ａ、３４Ｂを異なる筐体（エンクロージャー）２３５に配置した他の音響装置１００Ｃ、１００Ｄについて説明する。
図６（Ａ）は音源部２１がＭＯＮＯ音源の場合の他の音響装置１００Ｃを示し、図６（Ｂ）は音源部２１がＳＴＥＲＥＯ音源の場合の他の音響装置１００Ｄを示している。なお、上記した各構成と対応する部分は同一の符号を付して示し、重複説明は省略する。
図７は音響装置１００Ｃの音響特性ｆ３と音響装置１００Ｄの音響特性ｆ４とを示した特性曲線図である。なお、音響測定は、上記と同様に、所定のピンクノイズのモノラル音声（音声信号ＳＭ）とステレオ音声（音声信号ＳＬ、ＳＲ）とを用いて同じ音響空間で行っている。
【００３９】
これら音響装置１００Ｃ、１００Ｄは、音声信号ＳＬ、ＳＲを異なるスピーカーユニット３４Ａ、３４Ｂで別々に再生するので、音声信号ＳＬ、ＳＲ間での電気的な音の打ち消しは生じない。一方、スピーカーユニット３４Ａ、３４Ｂ間での空間的な音の打ち消しは生じることがある。
具体的には、音響装置１００Ｃの場合、ＭＯＮＯ音源であり、スピーカーユニット３４Ａ、３４Ｂが同じ向きで離間して配置され、且つ、同一の信号で同相駆動されるので、空間的な音の打ち消しを抑え易くなる。一方、音響装置１００Ｄの場合、異なる一対の信号で各スピーカーユニット３４Ａ、３４Ｂが駆動されるので、一対の信号が互いに打ち消しあうような信号成分を含む場合には、空間的な音の打ち消しが生じる。従って、音響装置１００Ｄの音響特性ｆ４には、図７に符号βで示すように、打ち消された箇所、つまり、音のディップが生じる。
【００４０】
次いで、２つのスピーカーユニット３４Ａ、３４Ｂで筐体（エンクロージャー）３５を共用した他の音響装置１００Ｅ、１００Ｆについて説明する。
図８（Ａ）は音源部２１がＭＯＮＯ音源の場合の他の音響装置１００Ｅを示し、図８（Ｂ）は音源部２１がＳＴＥＲＥＯ音源の場合の他の音響装置１００Ｆを示している。これら音響装置１００Ｅ、１００Ｆは、合成処理部３２Ａ及び差分処理部３２Ｂを備えない点が本実施形態の音響装置１０と異なる。また、音響装置１００Ｅ、１００Ｆのスピーカー配置は音響装置１０と同様である。
【００４１】
図９は音響装置１００Ｅの音響特性ｆ５と音響装置１００Ｆの音響特性ｆ６とを示した特性曲線図である。なお、音響測定は、上記と同様に、所定のピンクノイズのモノラル音声（音声信号ＳＭ）とステレオ音声（音声信号ＳＬ、ＳＲ）とを用いて同じ音響空間で行っている。
これら音響装置１００Ｅ、１００Ｆは、音声信号ＳＬ、ＳＲが異なるスピーカーユニット３４Ａ、３４Ｂに入力するので、音声信号ＳＬ、ＳＲ間での電気的な音の打ち消しは生じない。また、スピーカーユニット３４Ａ、３４Ｂを背面同士を対向させて配置するので、スピーカーユニット３４Ａ、３４Ｂ間での音の回り込みによる空間的な音の打ち消しを抑制することもできる。
【００４２】
ところで、音響装置１００Ｆの場合、異なる音声信号ＳＬ、ＳＲに対応する音が各スピーカーユニット３４Ａ、３４Ｂから出力されるので、音声信号ＳＬ、ＳＲ間に互いに打ち消しあうような信号成分が含まれると、空間的な音の打ち消しが生じる。従って、音響装置１００Ｄの音響特性ｆ６には、図９に符号γで示すように、打ち消された箇所に音のディップが生じる。
【００４３】
続いて、本実施形態の音響装置１０について説明する。
図１０は音源部２１がＳＴＥＲＥＯ音源の場合の音響装置１０を示している。
また、図１１は音響装置１０の音響特性ｆ７を、上記音響装置１００Ｅの音響特性ｆ５と共に示した特性曲線図である。
音響特性ｆ７は、音響特性ｆ５を測定した音響空間と同じ音響空間にて、所定のピンクノイズのステレオ音声（音声信号ＳＬ、ＳＲ）を再生した場合の測定結果である。なお、音響特性ｆ５は、上記したように、モノラル音声を所定の構成で再生することで、電気的及び空間的な音の打ち消しが殆ど生じない場合を示している。
【００４４】
図１１に示すように、本実施形態の音響装置１０の音響特性ｆ７は、音響装置１００Ｅの音響特性ｆ５とほぼ同じ特性である。つまり、本実施形態の音響装置１０は、ステレオ音声（音声信号ＳＬ、ＳＲ）を再生しているにも拘わらず、音の打ち消しが殆ど生じない特性が得られている。
この図１１に示す結果から、本実施形態では、左右チャンネルの音声信号ＳＬ、ＳＲの合成処理によって生じる「電気的な音の打ち消し」を、音声信号ＳＬ、ＳＲの差分を示す差分信号ＳＢで補うことができ、且つ、スピーカーユニット３４Ａ、３４Ｂ間の空間的な音の打ち消しを防ぐことができることが明らかである。
【００４５】
よって、この音響装置１０は、ステレオ音声及びモノラル音声のいずれであっても、電気的及び空間的な音の打ち消しを抑制できる。これにより、再生周波数帯の全ての周波数成分において、あますことなくサブウーファー３１から再生することができる。従って、昨今増えている低音のＳＴＥＲＥＯ音源を高精度に再生することが可能になり、多用な音楽に柔軟に対応することができる。
【００４６】
以上説明したように、この音響装置１０は、一対のスピーカーユニット３４Ａ、３４Ｂと、右チャンネルと左チャンネルの音声信号ＳＬ、ＳＲを入力し、左右チャンネルの音声信号ＳＬ、ＳＲの合成処理と差分処理とを独立して行う信号処理部３２と、を有している。そして、合成処理で得た左右チャンネルの合成信号ＳＡは、対の一方のスピーカーユニット３４Ａに入力し、差分処理で得た左右チャンネルの差分信号ＳＢは、対の他方のスピーカーユニット３４Ｂに入力する。
この構成及び音響処理方法によれば、左右チャンネルの音声信号ＳＬ、ＳＲの合成処理によって生じる「電気的な音の打ち消し」を差分信号ＳＢで補い、左右チャンネル間の音の打ち消しを抑制することができる。
【００４７】
また、この音響装置１０は、対のスピーカーユニット３４Ａ、３４Ｂの背面同士を対向させているので、空間的な音の打ち消しを抑制し易くなる。しかも、スピーカーユニット３４Ａ、３４Ｂが信号ＳＡ、ＳＢにより逆相の関係で駆動した際に、各ユニット３４Ａ、３４Ｂの振動板が同方向に振動し、低音の増強効果を得やすくなる。
【００４８】
また、対のスピーカーユニット３４Ａ、３４Ｂは、共通のエンクロージャーとして機能する筐体３５に配置され、筐体３５は密閉型に形成されている。これにより、各スピーカーユニット３４Ａ、３４Ｂの背面から出た逆位相の音が各スピーカーユニット３４Ａ、３４Ｂの前面に回り込むことを回避でき、空間的な音の打ち消しを抑制することができる。さらに、共通のエンクロージャーであるので、全体の小型化に有利であり、且つ、このエンクロージャーの容量を調整して共振周波数を調整し、所望の音声出力特性に調整し易くなる。
【００４９】
さらに、対のスピーカーユニット３４Ａ、３４Ｂ同士を同軸上に配置しているので、上記の低音の増強効果を得やすくなり、且つ、全体の小型化に有利である。
また、対のスピーカーユニット３４Ａ、３４Ｂに入力する信号の帯域を制限するＬＰＦ３３を有しているので、制限された帯域の音声を各スピーカーユニット３４Ａ、３４Ｂから放音できる。
【００５０】
ここで、本構成の音響装置１０は、左右チャンネルの合成信号ＳＡと差分信号ＳＢとに基づいて音声を再生するので、右の音と左の音とが実際に各方向から到来するようには再生されない。本構成の音響装置１０は、人の聴覚では音の発生源の方向を捕らえにくい低音をステレオ音声で再生するので、左右の音が実際に各方向から到来しなくても、違和感を与えずにステレオ音声を再生可能である。
【００５１】
上記した実施形態は、あくまでも本発明の一実施の態様を例示するものであって、本発明の趣旨を逸脱しない範囲で任意に変形、及び応用が可能である。
例えば、対のスピーカーユニット３４Ａ、３４Ｂの配置等は上記実施形態のものに限定されない。
例えば、対のスピーカーユニット３４Ａ、３４Ｂ同士を同軸上に配置する場合を説明したが、同軸上に限定されず、音の打ち消しを十分に抑えられる範囲で配置変更してもよい。また、対のスピーカーユニット３４Ａ、３４Ｂを共通の筐体３５に配置する場合を説明したが、別々の筐体に配置して各スピーカーユニット３４Ａ、３４Ｂの背面同士を対向させて配置してもよい。また、対のスピーカーユニット３４Ａ、３４Ｂの背面同士を対向させる場合を説明したが、空間的な音の打ち消しが問題にならない場合等に背面同士を対向させて配置しなくてもよい。
【００５２】
さらに、上記の実施形態では、一対のスピーカーユニット３４Ａ、３４Ｂを有する場合を説明したが、複数対のスピーカーユニット３４Ａ、３４Ｂを有するようにしてもよい。この場合、複数対のスピーカーユニット３４Ａ、３４Ｂを１つの筐体３５に配置してもよいし、対のスピーカーユニット３４Ａ、３４Ｂ毎に別々の筐体３５に配置する等、適宜に配置変更してもよい。
【００５３】
また、上記の実施形態では、本発明を、サブウーファー３１を有する音響装置１０に適用する場合を説明したが、サブウーファー３１以外のスピーカーユニットを有する音響装置に適用してもよい。
【符号の説明】
【００５４】
１０、１００  音響装置
２１  音源部
２１Ｌ、２１Ｒ  音声出力端子
３１  サブウーファー
３２  信号処理部
３３  ローパスフィルター
３４  ウーファーボックス
３４Ａ、３４Ｂ  スピーカーユニット
３５  筐体（エンクロージャー）
ＳＬ、ＳＲ  音声信号
ＳＭ  モノラル音声信号
Ｌ１  軸線
【図１】
2018064168.tif 000003
【図２】
2018064168.tif 000004
【図３】
2018064168.tif 000005
【図４】
2018064168.tif 000006
【図５】
2018064168.tif 000007
【図６】
2018064168.tif 000008
【図７】
2018064168.tif 000009
【図８】
2018064168.tif 000010
【図９】
2018064168.tif 000011
【図１０】
2018064168.tif 000012
【図１１】
2018064168.tif 000013